(57)【要約】【課題】  記録情報に対すると属性設定を自動的に実行することを可能とした情報処理装置を提供する。【解決手段】  ユーザが記録する情報、例えばカルテなどに医師が記録する情報に対して、自動的に属性を設定する。具体的には、記録情報、および、情報記録を実行するユーザの周囲において発生する事象情報をカメラやマイクで取得し、取得した記録情報と事象情報とを時系列データとして設定した時系列データテーブルを生成して、時系列事象を解析し、解析結果に基づいて、記録情報の属性を設定する。さらに、記録情報の内容や構成情報を勘案した属性設定を行う。本構成により、ユーザの負担やミスを防止し、効率的なデータ処理、データ管理が実現される。【選択図】  図３
2007058625.tif 000002
【特許請求の範囲】
【請求項１】
ユーザの記録情報に対する属性設定処理を実行する情報処理装置であり、
前記記録情報の生成処理を行なうユーザを含む空間における発生事象情報、および前記ユーザによる記録情報を取得する情報入力手段と、
前記情報入力手段を介する入力情報の解析を実行し、事象情報および記録情報を時系列データとして設定した時系列データテーブルを生成する情報解析手段と、
前記情報解析手段の生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定手段と、
を有することを特徴とする情報処理装置。
【請求項２】
前記属性設定手段は、さらに、
前記記録情報の内容解析を実行し、該記録情報の内容と予め設定された属性設定基準との照合を実行して、記録情報に対応する属性の設定を実行する構成であることを特徴とする請求項１に記載の情報処理装置。
【請求項３】
前記属性設定手段は、さらに、
前記記録情報を含む原稿における構成解析を実行し、該構成解析結果と予め設定された属性設定基準との照合を実行して、記録情報に対応する属性の設定を実行する構成であることを特徴とする請求項１に記載の情報処理装置。
【請求項４】
前記情報入力手段は、画像入力手段を含み、
前記情報解析手段は、
画像解析に基づく人物の行動を事象情報として取得し、取得した事象情報と、記録情報を時系列データとして設定した時系列データテーブルを生成する構成であることを特徴とする請求項１に記載の情報処理装置。
【請求項５】
前記情報入力手段は、音声入力手段を含み、
前記情報解析手段は、
音声解析に基づく人物の声を事象情報として取得し、取得した事象情報と、記録情報を時系列データとして設定した時系列データテーブルを生成する構成であることを特徴とする請求項１に記載の情報処理装置。
【請求項６】
前記情報入力手段は、検査機器情報入力手段を含み、
前記情報解析手段は、
検査機器情報に基づく検査情報を事象情報として取得し、取得した事象情報と、記録情報を時系列データとして設定した時系列データテーブルを生成する構成であることを特徴とする請求項１に記載の情報処理装置。
【請求項７】
ユーザの記録情報に対する属性設定処理を実行する情報処理方法であり、
前記記録情報の生成処理を行なうユーザを含む空間における発生事象情報、および前記ユーザによる記録情報を取得する情報入力ステップと、
前記情報入力ステップにおいて入力する情報の解析を実行し、事象情報および記録情報を時系列データとして設定した時系列データテーブルを生成する情報解析ステップと、
前記情報解析ステップにおいて生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定ステップと、
を有することを特徴とする情報処理方法。
【請求項８】
前記属性設定ステップは、さらに、
前記記録情報の内容解析を実行し、該記録情報の内容と予め設定された属性設定基準との照合を実行して、記録情報に対応する属性の設定を実行することを特徴とする請求項７に記載の情報処理方法。
【請求項９】
前記属性設定ステップは、さらに、
前記記録情報を含む原稿における構成解析を実行し、該構成解析結果と予め設定された属性設定基準との照合を実行して、記録情報に対応する属性の設定を実行することを特徴とする請求項７に記載の情報処理方法。
【請求項１０】
前記情報入力ステップは、
画像情報の入力を行なうステップを含み、
前記情報解析ステップは、
画像解析に基づく人物の行動を事象情報として取得し、取得した事象情報と、記録情報を時系列データとして設定した時系列データテーブルを生成することを特徴とする請求項７に記載の情報処理方法。
【請求項１１】
前記情報入力ステップは、
音声情報の入力を行なうステップを含み、
前記情報解析ステップは、
音声解析に基づく人物の声を事象情報として取得し、取得した事象情報と、記録情報を時系列データとして設定した時系列データテーブルを生成することを特徴とする請求項７に記載の情報処理方法。
【請求項１２】
前記情報入力ステップは、
検査機器情報の入力を行なうステップを含み、
前記情報解析ステップは、
検査機器情報に基づく検査情報を事象情報として取得し、取得した事象情報と、記録情報を時系列データとして設定した時系列データテーブルを生成することを特徴とする請求項７に記載の情報処理方法。
【請求項１３】
ユーザの記録情報に対する属性設定処理を情報処理装置において実行させるコンピュータ・プログラムであり、
前記記録情報の生成処理を行なうユーザを含む空間における発生事象情報、および前記ユーザによる記録情報を取得する情報入力ステップと、
前記情報入力ステップにおいて入力する情報の解析を実行し、事象情報および記録情報を時系列データとして設定した時系列データテーブルを生成する情報解析ステップと、
前記情報解析ステップにおいて生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定ステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、カルテなどの文書にユーザが記録したデータ各々に対する属性設定をデータ解析によって実行することを可能とした情報処理装置、および情報処理方法、並びにコンピュータ・プログラムに関する。
【背景技術】
【０００２】
様々な種類の情報が記録される文書を管理する構成において、文書情報に含まれるデータ領域に属性を付与して、各データを属性に応じて分類することが行なわれる。このような文書管理構成を開示した例として、例えば特許文献１に記載の構成がある。以下、具体例として、医師の作成するカルテ管理システムについて説明する。近年、電子カルテシステムの促進によって、カルテ情報の効率的入力や管理構成についての提案が数多くなされている。例えば、カルテの記録情報には、様々な種類の情報が含まれるが、このような情報は客観的に分類することが求められている。このデータ分類手法との１つとして、主訴［Ｓ］、観察［Ｏ］、診断［Ａ］、治療計画［Ｐ］によってデータを分類する属性としてのＳＯＡＰ方式が知られている。
【０００３】
ＳＯＡＰは、例えば以下のデータに対応付けられる属性情報である。
主訴［Ｓ］は、Ｓｕｂｊｅｃｔｉｖｅデータであり、患者が直接提供する主観的データに対応付けられる属性情報である。
観察［Ｏ］は、Ｏｂｊｅｃｔｉｖｅデータであり、医師や看護婦が取得する客観的データに対応付けられる属性情報である。
診断［Ａ］は、Ａｓｓｅｓｓｍｅｎｔデータであり、医師や看護婦の判断データに対応付けられる属性情報である。
治療計画［Ｐ］は、Ｐｌａｎデータであり、診断や、治療、あるいは教育などのスケジュール情報などのデータに対応付けられる属性情報である。
【０００４】
このような属性情報をカルテに記録される各情報の属性情報として設定して管理する。例えば、図１に示すようなカルテに相当する原稿１０には、予めデータ分類に適用可能な属性識別子として、上述の［Ｓ］、［Ｏ］、［Ａ］、［Ｐ］の属性情報１１が、原稿１０の右側に記録されている。
【０００５】
カルテに診断情報などを記録した医者は、記入した情報のカテゴリに応じて、自己の記録したデータ領域と、［Ｓ］、［Ｏ］、［Ａ］、［Ｐ］の属性情報１１のいずれかを連結する連結線１２を記入して、自己の記録情報がどの種類の情報であるかを判別可能とする。
【０００６】
後日、これらの記録用紙は、スキャナなどの画像読み取り手段において読み取られ、記録されたデータのＯＣＲ処理などによってテキストデータとしてデータベースに格納される。さらに、各領域データと［Ｓ］、［Ｏ］、［Ａ］、［Ｐ］の属性情報１１を連結する連結線１２を識別して、各データ領域個別の属性、すなわちテキストデータの属性（ＳＯＡＰのいずれか）としてデータベースに格納するといったデータ管理が行なわれる。
【０００７】
このように、各領域データのテキストデータや画像データは、その属性識別子と対応付けられてデータ管理がなされる。このようなデータ管理を行なうことで、カルテの記録情報がどのような情報であるかを客観的に判断することができ、担当医師の変更などの際にも情報を誤りなく伝達することが可能となる。
【０００８】
図１に示す例では、情報領域データ１５は、属性情報１１の［Ａ］と連結されており、情報領域データ１５のテキストデータあるいは画像データは、属性識別子［Ａ］に対応付けられてデータベースに格納され、領域データ１５は、Ａｓｓｅｓｓｍｅｎｔデータであり、医師や看護婦の判断データであると解釈されることになる。
【０００９】
しかし、連結線１２を記録するのは、様々な情報を用紙に記録するユーザ自身にまかされており、ユーザにとっては負担となる。また、ユーザによっては、属性の付与を忘れてしまう場合や、誤った判断の属性を付与してしまう場合もある。また、画像解析によって、ユーザの記録した連結線に基づいて各領域データと属性識別子との対応を正確に判定するのは困難な場合が少なくない。
【００１０】
例えば、画像解析による連結線の識別による属性判定処理を行なう場合、例えばスキャナによって読み取られた画像データに基づいて連結線を判別して各データ領域の属性を判定する処理が行なわれる。しかし、例えば、図１に示すような連結線の交差点２１が存在すると、画像解析システムは、誤った判断を行なう場合がある。図に示す例では、連結線の数は多くないが、実際のカルテ記載例においては、多数の連結線が一部の属性識別子に集中して記録される場合もあり、このような場合、画像解析による正確な判定は困難となる。
【特許文献１】特開平１０−３２０４９２号公報
【発明の開示】
【発明が解決しようとする課題】
【００１１】
本発明は、このような問題点に鑑みてなされたものであり、カルテのように記録データに対応する属性を付与する構成において、ユーザによる属性付与といった負担を発生させることなく、ユーザが記録したデータ各々に対する属性設定をデータ解析に基づいて実行することを可能とした情報処理装置、および情報処理方法、並びにコンピュータ・プログラムを提供することを目的とする。
【課題を解決するための手段】
【００１２】
本発明の第１の側面は、
ユーザの記録情報に対する属性設定処理を実行する情報処理装置であり、
前記記録情報の生成処理を行なうユーザを含む空間における発生事象情報、および前記ユーザによる記録情報を取得する情報入力手段と、
前記情報入力手段を介する入力情報の解析を実行し、事象情報および記録情報を時系列データとして設定した時系列データテーブルを生成する情報解析手段と、
前記情報解析手段の生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定手段と、
を有することを特徴とする情報処理装置にある。
【００１３】
さらに、本発明の情報処理装置の一実施態様において、前記属性設定手段は、さらに、前記記録情報の内容解析を実行し、該記録情報の内容と予め設定された属性設定基準との照合を実行して、記録情報に対応する属性の設定を実行する構成であることを特徴とする。
【００１４】
さらに、本発明の情報処理装置の一実施態様において、前記属性設定手段は、さらに、前記記録情報を含む原稿における構成解析を実行し、該構成解析結果と予め設定された属性設定基準との照合を実行して、記録情報に対応する属性の設定を実行する構成であることを特徴とする。
【００１５】
さらに、本発明の情報処理装置の一実施態様において、前記情報入力手段は、画像入力手段を含み、前記情報解析手段は、画像解析に基づく人物の行動を事象情報として取得し、取得した事象情報と、記録情報を時系列データとして設定した時系列データテーブルを生成する構成であることを特徴とする。
【００１６】
さらに、本発明の情報処理装置の一実施態様において、前記情報入力手段は、音声入力手段を含み、前記情報解析手段は、音声解析に基づく人物の声を事象情報として取得し、取得した事象情報と、記録情報を時系列データとして設定した時系列データテーブルを生成する構成であることを特徴とする。
【００１７】
さらに、本発明の情報処理装置の一実施態様において、前記情報入力手段は、検査機器情報入力手段を含み、前記情報解析手段は、検査機器情報に基づく検査情報を事象情報として取得し、取得した事象情報と、記録情報を時系列データとして設定した時系列データテーブルを生成する構成であることを特徴とする。
【００１８】
さらに、本発明の第２の側面は、
ユーザの記録情報に対する属性設定処理を実行する情報処理方法であり、
前記記録情報の生成処理を行なうユーザを含む空間における発生事象情報、および前記ユーザによる記録情報を取得する情報入力ステップと、
前記情報入力ステップにおいて入力する情報の解析を実行し、事象情報および記録情報を時系列データとして設定した時系列データテーブルを生成する情報解析ステップと、
前記情報解析ステップにおいて生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定ステップと、
を有することを特徴とする情報処理方法にある。
【００１９】
さらに、本発明の情報処理方法の一実施態様において、前記属性設定ステップは、さらに、前記記録情報の内容解析を実行し、該記録情報の内容と予め設定された属性設定基準との照合を実行して、記録情報に対応する属性の設定を実行することを特徴とする。
【００２０】
さらに、本発明の情報処理方法の一実施態様において、前記属性設定ステップは、さらに、前記記録情報を含む原稿における構成解析を実行し、該構成解析結果と予め設定された属性設定基準との照合を実行して、記録情報に対応する属性の設定を実行することを特徴とする。
【００２１】
さらに、本発明の情報処理方法の一実施態様において、前記情報入力ステップは、画像情報の入力を行なうステップを含み、前記情報解析ステップは、画像解析に基づく人物の行動を事象情報として取得し、取得した事象情報と、記録情報を時系列データとして設定した時系列データテーブルを生成することを特徴とする。
【００２２】
さらに、本発明の情報処理方法の一実施態様において、前記情報入力ステップは、音声情報の入力を行なうステップを含み、前記情報解析ステップは、音声解析に基づく人物の声を事象情報として取得し、取得した事象情報と、記録情報を時系列データとして設定した時系列データテーブルを生成することを特徴とする。
【００２３】
さらに、本発明の情報処理方法の一実施態様において、前記情報入力ステップは、検査機器情報の入力を行なうステップを含み、前記情報解析ステップは、検査機器情報に基づく検査情報を事象情報として取得し、取得した事象情報と、記録情報を時系列データとして設定した時系列データテーブルを生成することを特徴とする。
【００２４】
さらに、本発明の第３の側面は、
ユーザの記録情報に対する属性設定処理を情報処理装置において実行させるコンピュータ・プログラムであり、
前記記録情報の生成処理を行なうユーザを含む空間における発生事象情報、および前記ユーザによる記録情報を取得する情報入力ステップと、
前記情報入力ステップにおいて入力する情報の解析を実行し、事象情報および記録情報を時系列データとして設定した時系列データテーブルを生成する情報解析ステップと、
前記情報解析ステップにおいて生成した時系列データテーブルに含まれる記録情報について、該記録情報の記録時間の近傍の事象情報を取得し、取得した事象情報と予め設定された属性設定基準との照合を実行して、記録情報に対応する属性の設定を実行する属性設定ステップと、
を有することを特徴とするコンピュータ・プログラムにある。
【００２５】
なお、本発明のコンピュータ・プログラムは、例えば、様々なプログラム・コードを実行可能なコンピュータシステムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータシステム上でプログラムに応じた処理が実現される。
【００２６】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２７】
本発明の構成によれば、ユーザが記録する情報、例えばカルテなどに医師が記録する情報に対して、自動的に属性を設定することが可能となる。具体的には、記録情報、および、情報記録を実行するユーザの周囲において発生する事象情報をカメラやマイクで取得し、取得した記録情報と事象情報とを時系列データとして設定した時系列データテーブルを生成して、時系列事象を解析し、解析結果に基づいて、記録情報の属性を設定する。さらに、記録情報の内容や構成情報を勘案して属性設定を行う構成としたので、ユーザによる属性設定処理の負担や属性設定ミスを防止し、効率的なデータ処理、データ管理が実現される。
【発明を実施するための最良の形態】
【００２８】
以下、図面を参照しながら本発明の実施形態に係る情報処理装置、および情報処理方法、並びにコンピュータ・プログラムの詳細について説明する。
【００２９】
まず、図２を参照して、本発明の情報処理装置の利用態様について説明する。本発明は、カルテのように記録データに対応する属性を付与することの要請される文書情報に対するデータ処理を実行するものである。
【００３０】
図２には、カルテ７０を作成するユーザである医者５０と、医者５０によって診察を受けている患者６０を示している。医者５０は、患者６０の診察、検査を実行し、診断情報や、所見、検査結果などの様々な情報をカルテ７０にペン１０４を利用して記録する。
【００３１】
医者５０がペン１０４を利用してカルテ７０に記録した記録情報の各々には、記録情報に対応する属性を設定することが必要となる。ここでは、前述したＳＯＡＰ方式を適用した例について説明する。ＳＯＡＰは、前述したように、例えば以下のデータに対応付けられ属性情報である。
主訴［Ｓ］は、Ｓｕｂｊｅｃｔｉｖｅデータであり、患者が直接提供する主観的データに対応付けられる属性情報である。
観察［Ｏ］は、Ｏｂｊｅｃｔｉｖｅデータであり、医師や看護婦が取得する客観的データに対応付けられる属性情報である。
診断［Ａ］は、Ａｓｓｅｓｓｍｅｎｔデータであり、医師や看護婦の判断データに対応付けられる属性情報である。
治療計画［Ｐ］は、Ｐｌａｎデータであり、診断や、治療、あるいは教育などのスケジュール情報などのデータに対応付けられる属性情報である。
【００３２】
なお、以下、説明する実施例では、属性付与の要請される文書として医者の作成するカルテを例として説明するが、本発明は、カルテに限らず、その他、記録データに対する属性付与の要請される様々な文書に対するデータ処理、管理処理において適用可能である。
【００３３】
カルテ作成者としての医者５０は、ペン１０４を用いて、カルテ７０に情報を書き込む。ペン１０４は、筆跡情報を出力可能なペンとして構成する。ペン１０４の筆跡情報は、例えば医者５０の机にあるＰＣ等の情報処理装置１０３に有線あるいは無線で入力された後、ネットワーク１１０を介してサーバとしての情報処理装置２００に入力される。
【００３４】
例えば、ペン１０４は、紙媒体としてのカルテ７０に予め記録されたコード情報のスキャン処理を行い、ペン１０４によってスキャンされたコードシーケンスによって、筆跡情報を取得し、この筆跡情報を出力することができる。なお、紙媒体としてのカルテ７０に予め記録されたコード情報はペン１０４のスキャン処理によってスキャン可能な不可視コードとして紙に記録されている。なお、この筆跡情報取得構成は一例であり、その他の構成による筆跡情報取得構成を採用してもよい。
【００３５】
サーバとしての情報処理装置２００は、本発明に係る情報処理装置であり、医者５０がカルテ７０に書き込んだ情報を取得して、テキストデータ、画像データからなる電子カルテを生成してデータベースに格納し、管理する。情報処理装置２００は、医者５０がカルテ７０に書き込んだ情報の各々について、属性、すなわち、上述した［Ｓ］、［Ｏ］、［Ａ］、［Ｐ］の属性を自動設定する処理を実行する。
【００３６】
この属性付与処理は、サーバとしての情報処理装置２００がネットワーク１１０を介して入力する様々な情報を解析して行なわれる。図に示すようにネットワークには、複数のカメラ１０１ａ〜ｄ、マイク１０２ａ〜ｂ、検査機器１０５が接続されている。
【００３７】
カメラ１０１ａ〜ｄは、医者５０や患者６０の行動、表情を撮影し、医者５０や患者６０の移動を追尾して医者５０や患者６０の行動、表情を撮影する。撮影画像データは、ネットワーク１１０を介して情報処理装置に入力される。マイク１０２ａ〜ｂは、医者５０や患者６０の会話等の音声データを取得し、取得した音声データは、ネットワーク１１０を介して情報処理装置に入力される。さらに検査機器１５０は、検査の実行時に取得された検査データを、ネットワーク１１０を介して報処理装置に送信する。なお、図には、４台のカメラ、２つのマイク、１つの検査機器を示してあるが、これらの機器の数は任意の数に設定可能である。
【００３８】
図３に、ネットワーク１１０から様々な情報を受信し、受信データに基づいて、ユーザ（医者５０）が文書（カルテ７０）に記録した情報に属性を付与する処理を実行するサーバとしての情報処理装置２００の構成を説明するブロック図を示す。
【００３９】
なお、図３は、本発明の情報処理装置２００の持つ機能を説明するブロック図であり、情報処理装置２００の実行する処理を個別のブロックとして示した図である。情報処理装置２００の実行するデータ処理は、情報処理装置２００の有するハードウェアと、ソフトウェアとしてのコンピュータ・プログラムを適用することによって実行されるものであり、図３に示す図は、これらの各処理を個別に説明するために各処理ごとのブロックとして示したブロック図である。なお、情報処理装置のハードウェア構成の具体例については、後段で説明する。
【００４０】
図３に示すブロック図に従って、本発明の情報処理装置２００の構成および実行する処理について説明する。画像情報入力部２０１は、図２に示すカメラ１０１ａ〜ｄの撮影した画像データを入力する。画像情報解析部２０２は、画像情報入力部２０１から入力するカメラ１０１ａ〜ｄの撮影画像データの解析を実行する。
【００４１】
画像解析によって、医者や患者の行動解析が行なわれる。どの人物（医者、患者）が、どのような行動を行なったかの解析が行なわれる。
例えば、「医者が患者を見た」、「医者がカルテに文字を記録した」、「医者が測定データを見た」などの医者の行動や、「患者がうなずいた」「患者が立ち上がった」「患者が測定器に移動した」などの患者の行動を解析する。この画像解析による人物の行動解析は、画像中の人物領域の特定、特定した人物領域の顔部の特定、人物全体、あるいは人物の特定部位の動き検出処理などの既存の画像解析技術を適用することで実現可能である。なお、予め医者の画像データは登録情報として保持し、医者とその他の人物の判別が可能な設定とする。
【００４２】
また、例えば目的とする認識対象オブジェクトとして人物を選択した場合、人物を他の背景から区別するため、例えばスキン（皮膚）領域を抽出するためのカラーフィルタリングを適用する構成としてもよい。スキン検出アルゴリズムとしては、例えば文献、［A. Jaimes. Conceptual Structures and Computational Methods for Indexing and Organization of Visual Information, Ph.D. Thesis, Department of Electrical Engineering, Columbia University, February 2003］に記述されたアルゴリズムをベースとすることが可能である。
【００４３】
スキン領域抽出アルゴリズムについて説明する。まず、入力する各画像フレーム［ｆｉ］の画素値データをＨＳＶカラー空間座標へ展開する。ＨＳＶカラー空間座標は、色相（Ｈ）、彩度（Ｓ）、輝度（Ｖ）の３次元座標である。このＨＳＶ空間において、特定の領域がスキン（皮膚）のカラー領域に対応する。
【００４４】
各フレーム［ｆｉ］の画素値データ中、ＨＳＶカラー空間座標におけるスキン（皮膚）のカラー領域に対応する画素をスキン画像領域として判定し、ＨＳＶカラー空間座標におけるスキン（皮膚）のカラー領域以外に属する画素データは、スキン領域以外であると判定する。
【００４５】
上述のカラーフィルタリングによるスキン領域の抽出は、カメラ１０１から入力する各フレーム［ｆｉ］各々に対して実行される。ただし、このカラーフィルタリング処理によっても、人のスキン（皮膚）と類似する画素値を持つ例えば壁やテーブルなどスキン（皮膚）領域以外の領域がスキン（皮膚）領域と判断される場合がある。
【００４６】
これを避けるためには、カラーフィルタリングによって抽出されたスキン領域をグルーピングし、スキン領域として判定された隣接する画素の集合をグループとして設定し、その境界を設定した境界領域としてのバウンディングボックスＳｂｂを検出する。なお、一定の大きさより小さい領域は排除する。次に、バウンディングボックスＳｂｂと同一の中心を設定したバウンディングボックスＳｂｂの近接領域を含むアクティブバウンディングボックスＡｂｂを設定し、このアクティブバウンディングボックスＡｂｂ内においてフレーム間で動きが検出されているか否かを判定する。動きの有無は、現フレームと過去に数フレーム遡ったフレーム間の差分情報に基づいて判定可能である。この処理によって動きのある領域がスキン領域、すなわち人物であると判定する。
【００４７】
画像情報解析部２０２の解析情報、すなわち、医者や患者の行動、例えば、「医者が患者を見た」、「医者がカルテに文字を記録した」などの医者の行動や、「患者がうなずいた」「患者が立ち上がった」「患者が測定器に移動した」などの患者の解析情報は、総合情報解析部２１１に入力される。総合情報解析部２１１の処理については後述する。
【００４８】
音声情報入力部２０３は、図２に示すマイク１０２ａ〜ｂの取得した音声情報を入力する。音声情報解析部２０４は、音声情報入力部２０３から入力するマイク１０２ａ〜ｂの取得した音声データの解析を実行する。
【００４９】
音声解析によって、例えば医者や患者の会話などの解析が行なわれる。
例えば、「医者が患者に話かけた」、「患者が医師に答えた」などの医者や患者の会話の他、例えば測定機器の測定音なども解析される。なお、医者と患者の声を識別するために、医者の声の持つ周波数情報などを情報処理装置に予め登録し、医者の声と、その他の人物の声とを区別可能な設定とする。音声情報解析部２０４において解析された音声情報解析結果は、総合情報解析部２１１に入力される。
【００５０】
ペン記録情報入力部２０５は、図２に示すペン１０４の筆跡情報を、医者５０の机にあるＰＣ等の情報処理装置１０３、およびネットワーク１１０を介して入力する。前述したように、図２に示すペン１０４は、筆跡情報を出力可能なペンであり、ペン記録情報入力部２０５は、医者５０の記録した筆跡に対応する筆跡情報を入力する。
【００５１】
ペン記録情報解析部２０６は、ペン記録情報入力部２０５から、図２に示すペン１０４の筆跡情報を入力して、医者５０がカルテ７０に記録した文字や図形情報を取得する。ペン記録情報解析部２０６において解析された筆跡情報は、総合情報解析部２１１に入力される。
【００５２】
検査機器情報入力部２０７は、図２に示す検査機器１０５の検査情報をネットワーク１１０を介して入力する。検査機器情報解析部２０８は、検査機器情報入力部２０７から、検査機器１０５における検査結果を入力して、検査結果の解析を実行し、解析結果を総合情報解析部２１１に入力する。
【００５３】
総合情報解析部２１１は、画像情報解析部２０２の画像解析情報、音声情報解析部２０４の音声解析情報、ペン記録情報解析部２０６の解析記録情報、検査機器情報解析部２０８の検査機器解析情報を入力して、これらの入力情報の総合的な解析を実行して解析結果を情報格納部２１２に格納する。
【００５４】
総合情報解析部２１１は、入力情報の総合解析に基づいて、例えば、図４に示す時系列データテーブルを生成し、情報格納部２１２に格納する。総合情報解析部２１１は、図４に示すように、各時間に発生した事象を、事象の発生主体としての医者、患者、カルテ、検査機器別に発生事象情報として記録し、さらにカルテの記録情報を記録した時系列データテーブルを生成する。
【００５５】
図４に示す時系列データテーブルにおいて、例えば、最初のデータエントリには、
２００４／０４／０５，１０時３３分５５秒に、事象発生主体＝医者の事象として、医者が患者を見るという事象データが記録されている。
この事象データは、例えばカメラによって取得された画像データに基づいて取得される情報である。
また、２００４／０４／０５，１０時３３分５７秒のデータエントリとして、事象発生主体＝医者の事象として、医者が患者に話かけるという事象データが記録されている。
この事象データは、例えばカメラによって取得された画像データおよび、マイクによって取得されたマイクに基づいて取得される情報である。
【００５６】
また、２００４／０４／０５，１０時３４分１５秒のデータエントリとして、
（ａ）事象発生主体＝医者の事象：相槌を打ちながらカルテに記入する。
（ｂ）事象発生主体＝カルテの事象：文字が入力される。
これらの２つの事象が記録され、さらに、
（ｃ）カルテ記録情報
が記録されている。
【００５７】
（ａ）事象発生主体＝医者の事象：相槌を打ちながらカルテに記入する。
（ｂ）事象発生主体＝カルテの事象：文字が入力される。
の事象は、カメラ、マイク、ペンから取得される情報による解析結果であり、
（ｃ）カルテ記録情報
は、ペンの筆跡情報の解析結果として得られる記録情報である。
【００５８】
このように、総合情報解析部２１１は、各時間に発生した事象を、事象の発生主体としての医者、患者、カルテ、検査機器別に時系列情報として記録し、さらにカルテの記録情報についても、各記録事象と同様の時系列情報として記録した時系列データテーブルを生成し、情報格納部２１２に格納する。
【００５９】
属性設定部２２１は、情報格納部２１２に格納された時系列データテーブルに記録されたカルテの記録情報各々について、属性を設定する。本実施例では、前述のＳＯＡＰ、すなわち、
主訴［Ｓ］：Ｓｕｂｊｅｃｔｉｖｅデータ、
観察［Ｏ］：Ｏｂｊｅｃｔｉｖｅデータ、
診断［Ａ］：Ａｓｓｅｓｓｍｅｎｔデータ、
治療計画［Ｐ］：Ｐｌａｎデータ、
の各属性を設定する。
【００６０】
属性設定部２２１は、上記ＳＯＡＰの属性設定基準を予め保持している。この属性設定基準は、カルテの記録の発生した時点近傍における発生事象や、カルテ記録情報の内容、またはカルテ記録情報の構成に基づく属性設定基準として設定される。例えば、以下の属性設定基準が設定される。
【００６１】
（１）カルテ記録情報を主訴［Ｓ］とする属性設定基準
発生事象基準：「医者が患者に話しかける」→「患者が医者に答える」→「医者が患者の言うことを聞きながら（あるいは聞いて）カルテ記録」
この時系列行動パターンに一致するカルテ記録情報の属性は、主訴［Ｓ］とする。
【００６２】
（２）カルテ記録情報を観察［Ｏ］とする属性設定基準
（２ａ）発生事象基準：「測定データを見る」→「カルテ記録」
この時系列行動パターンに一致するカルテ記録情報の属性は、観察［Ｏ］とする。
（２ｂ）カルテ記録情報内容基準：カルテ記述内容に重さを示す記述（例：５２Ｋｇ）や血圧を示す記述（例：ＢＰ１２４／６２ｍｍＨｇ）などの数値データが含まれる。
このタイプのカルテ記録情報を持つ場合、カルテ記録情報の属性は、観察［Ｏ］とする。
（２ｃ）カルテ記録情報構成基準：主訴［Ｓ］の後のカルテ記録情報。
カルテ記録情報が、主訴［Ｓ］の後にあるカルテ記録情報の属性は、観察［Ｏ］とする。
【００６３】
（３）カルテ記録情報を診断［Ａ］とする属性設定基準
（３ａ）カルテ記録情報内容基準：格構造が自発や可能となっているものが含まれる（例：〜考えられる）
このタイプのカルテ記録情報を持つ場合、カルテ記録情報の属性は、診断［Ａ］とする。
（３ｂ）カルテ記録情報構成基準：観察［Ｏ］の後のカルテ記録情報。
カルテ記録情報が、観察［Ｏ］の後にあるカルテ記録情報の属性は、診断［Ａ］とする。
【００６４】
（４）カルテ記録情報を治療計画［Ｐ］とする属性設定基準
（４ａ）カルテ記録情報構成基準：診断［Ａ］の後のカルテ記録情報。
カルテ記録情報が、診断［Ａ］の後にあるカルテ記録情報の属性は、治療計画［Ｐ］とする。
（４ｂ）カルテ記録情報構成基準：カルテの最後の記録情報。
カルテ記録情報が、カルテの最後の記録情報である場合のカルテ記録情報の属性は、治療計画［Ｐ］とする。
（４ｃ）発生事象基準：「患者が帰る直前」、または「患者が帰った後」に記録されたカルテ記録情報。
この時系列行動パターンに一致するカルテ記録情報の属性は、治療計画［Ｐ］とする。
【００６５】
属性設定部２２１は、このような、ＳＯＡＰの属性設定基準を保持し、この属性設定基準に基づいて、カルテの記録情報の各々について、ＳＯＡＰの属性設定処理を実行する。
【００６６】
例えば、図４に示すカルテ記録情報３１１については、上述した（１）の主訴［Ｓ］とする属性設定基準、すなわち、
発生事象基準：「医者が患者に話しかける」→「患者が医者に答える」→「医者が患者の言うことを聞きながら（あるいは聞いて）カルテ記録」
この発生事象基準に該当する記録情報であるので、
このカルテ記録情報３１１の属性は、主訴［Ｓ］とする。
【００６７】
また、図４に示すカルテ記録情報３１２については、上述した（２）の観察［Ｏ］とする属性設定基準、すなわち、
（２ａ）発生事象基準：「測定データを見る」→「カルテ記録」
この時系列行動パターンに一致するカルテ記録情報の属性は、観察［Ｏ］とする。
（２ｂ）カルテ記録情報内容基準：カルテ記述内容に重さを示す記述（例：５２Ｋｇ）や血圧を示す記述（例：ＢＰ１２４／６２ｍｍＨｇ）などの数値データが含まれる。
この発生事象基準、およびカルテ記録情報内容基準に該当する記録情報であるので、
このカルテ記録情報３１２の属性は、観察［Ｏ］とする。
【００６８】
なお、カルテ記録情報３１２については、（２ａ）発生事象、または、（２ｂ）カルテ記録情報内容のいずれかのみを適用して、属性を決定することも可能であるが、これらの２つの条件を満足することを確認して属性設定を実行することで、確度の高い属性設定が実現される。
【００６９】
なお、上述した属性設定基準は、あらかじめ熟練者によって設定してもよいし、ユーザが幾つか手本となる属性付けを行い、システムがそれをもとに判定属性と判断要素の対応を確率的に求めて生成する構成としてもよい。なお、上述した属性設定基準は一例であり、上述した例以外の様々な設定基準を適用する構成が可能である。
【００７０】
このような属性設定処理によって、カルテに記録された情報各々について属性が設定される。属性の設定されたカルテは電子カルテデータとして情報格納部２１２に格納される。例えば、情報格納部２１２に電子データとして格納される電子カルテには、図５に示すように、電子カルテ３５０の記録情報３５１，３５２各々に属性情報｛Ｓ，Ｏ，Ａ，Ｐ｝が付与され、これが情報格納部２１２に格納される。
【００７１】
次に、図６、図７を参照して、本発明の情報処理装置の実行する処理シーケンスについて説明する。図６は、本発明の情報処理装置の実行する全体処理シーケンスを示すフローチャートであり、図７は、図６のステップＳ１０４の処理、すなわち、図３に示す属性設定部２１１の実行する属性設定処理シーケンスを説明するフローチャートである。
【００７２】
まず、図６に示すフローチャートを参照して、本発明の情報処理装置の実行する全体処理シーケンスについて説明する。まず、ステップＳ１０１において、ネットワーク接続されたカメラ、マイク、ペン、検査機器からの情報を入力する。カメラからは画像情報、マイクからは音声情報、ペンからは筆跡情報、検査機器からは検査機器情報が、それぞれ入力される。
【００７３】
ステップＳ１０２では、ステップＳ１０１において入力した各情報、すなわち、カメラからの画像情報、マイクからの音声情報、ペンからの筆跡情報、検査機器からの検査機器情報を解析する。画像情報解析においては、どの人物（医者、患者）が、どのような行動を行なったかなどの解析が行なわれる。音声解析においては、どの人物（医者、患者）が、どのような話を行なったかなどの解析が行なわれる。筆跡情報解析においては、カルテに対する記入情報の解析などが行なわれる。検査機器情報解析においては、検査結果データの解析などが行われる。
【００７４】
次に、ステップＳ１０３では、ステップＳ１０２において取得した各解析情報に基づく総合解析処理を実行する。この総合解析処理において、先に図４を参照して説明した時系列データテーブルが生成される。
【００７５】
最後に、ステップＳ１０４において、ステップＳ１０３において生成した時系列データテーブルに記録されたカルテ記録情報の各々についての属性設定処理を実行する。すなわち、図３に示す属性設定部２２１の処理であり、情報格納部２１２に格納された時系列データテーブルに記録されたカルテの記録情報各々について、属性を設定する。
【００７６】
属性設定処理の詳細シーケンスについて、図７のフローチャートを参照して説明する。まず、ステップＳ２０１において、時系列テーブルから、属性設定処理対試用のカルテ記録情報を選択する。
【００７７】
次に、ステップＳ２０２において、処理対象として選択したカルテ記録情報の近傍の時系列事象データを取得し、ステップＳ２０３において、取得した時系列事象データと、属性設定基準として設定された発生事象基準との比較処理を実行する。ステップＳ２０４において、取得した時系列事象データと一致する属性設定基準（発生事象基準）があるか否かを判定する。一致する基準がある場合は、ステップＳ２１１に進み、一致した属性設定基準に従って属性を設定する。
【００７８】
この処理は、例えば、図４に示すカルテ記録情報３１１について、前述の主訴［Ｓ］とする属性設定基準、すなわち、
発生事象基準：「医者が患者に話しかける」→「患者が医者に答える」→「医者が患者の言うことを聞きながら（あるいは聞いて）カルテ記録」
この発生事象基準に該当する記録情報であるので、属性を主訴［Ｓ］とする。
この処理に相当する。
【００７９】
ステップＳ２０４において、取得した時系列事象データと一致する属性設定基準（発生事象基準）がないと判定した場合は、ステップＳ２０５に進み、処理対象のカルテ記録情報の記録内容情報を取得する。次に、ステップＳ２０６において、取得したカルテ記録情報内容データと、属性設定基準として設定されたカルテ記録情報内容基準との比較処理を実行する。さらに、ステップＳ２０７において、取得したカルテ記録情報内容データと一致する属性設定基準（カルテ記録情報内容基準）があるか否かを判定する。一致する基準がある場合は、ステップＳ２１１に進み、一致した属性設定基準に従って属性を設定する。
【００８０】
この処理は、例えば、図４に示すカルテ記録情報３１２について、前述の観察［Ｏ］とする属性設定基準、すなわち、
（２ｂ）カルテ記録情報内容基準：カルテ記述内容に重さを示す記述（例：５２Ｋｇ）や血圧を示す記述（例：ＢＰ１２４／６２ｍｍＨｇ）などの数値データが含まれる。
この発生事象基準、およびカルテ記録情報内容基準に該当する記録情報であるので、属性を観察［Ｏ］とする。
この処理に相当する。
【００８１】
ステップＳ２０７において、取得したカルテ記録情報内容データと一致する属性設定基準（カルテ記録情報内容基準）がないと判定した場合は、ステップＳ２０８に進み、処理対象のカルテ記録情報の構成情報を取得し、ステップＳ２０９において、取得したカルテ記録情報構成データと、属性設定基準として設定されたカルテ記録情報構成基準との比較処理を実行し、ステップＳ２１０において、取得したカルテ記録情報構成データと一致する属性設定基準（カルテ記録情報構成基準）があるか否かを判定する。一致する基準がある場合は、ステップＳ２１１に進み、一致した属性設定基準に従って属性を設定する。
【００８２】
この処理は、例えば、前述のカルテ記録情報を診断［Ａ］とする属性設定基準、
（３ｂ）カルテ記録情報構成基準：観察［Ｏ］の後のカルテ記録情報。
カルテ記録情報が、観察［Ｏ］の後にあるカルテ記録情報の属性は、診断［Ａ］とする。
この設定基準を適用した処理に相当する。
【００８３】
ステップＳ２１０において、取得したカルテ記録情報構成データと一致する属性設定基準（カルテ記録情報構成基準）がないと判定した場合は、ステップＳ２１２に進み、属性不明と判定する。
【００８４】
以上の処理によって、ほとんどのカルテ記録情報についての属性の自動付与がなされる。なお、前述したように、属性の設定されたカルテは電子カルテデータとして情報格納部２１２に格納される。例えば、情報格納部２１２に電子データとして格納される電子カルテには、図５に示すように、電子カルテ３５０の記録情報３５１，３５２各々に属性情報｛Ｓ，Ｏ，Ａ，Ｐ｝が付与され、これが情報格納部２１２に格納される。
【００８５】
なお、図７の処理フローでは、発生事象基準、カルテ記録情報内容基準、カルテ記録情報構成基準のいずれかに一致する場合、その属性設定基準のみを適用して属性設定処理を実行する処理シーケンスを説明したが、複数の異なる基準をすべて検証して最終的な属性を設定する処理シーケンスとしてもよい。また、前述したように、属性設定基準は、あらかじめ熟練者によって設定してもよいし、ユーザが幾つか手本となる属性付けを行い、システムがそれをもとに判定属性と判断要素の対応を確率的に求めて生成する構成も可能であり、属性設定ができない情報をできるだけ削減する設定基準を適用することが好ましい。
【００８６】
最後に、図８を参照して、本発明の情報処理装置のハードウェア構成例について説明する。ＣＰＵ（Central Processing Unit）５０１は、上述の実施例において説明した各種のデータ処理、すなわち各種入力情報の解析処理、総合情報解析処理による時系列データテーブルの生成処理、カルテ記録情報に対する属性設定処理等の各処理の実行シーケンスを記述したコンピュータ・プログラムに従った処理を実行する制御部である。
【００８７】
ＲＯＭ（Read Only Memory）５０２は、ＣＰＵ５０１が使用するプログラムや演算パラメータ等を格納する。ＲＡＭ（Random Access Memory）５０３は、ＣＰＵ５０１の実行において使用するプログラムや、その実行において適宜変化するパラメータ等を格納する。これらはＣＰＵバスなどから構成されるホストバス５０４により相互に接続されている。
【００８８】
ホストバス５０４は、ブリッジ５０５を介して、ＰＣＩ(Peripheral Component Interconnect/Interface)バスなどの外部バス５０６に接続されている。
【００８９】
キーボード５０８、ポインティングデバイス５０９は、ユーザにより操作される入力デバイスである。ディスプレイ５１０は、液晶表示装置またはＣＲＴ（Cathode Ray Tube）などから成り、各種情報をテキストやイメージ情報として表示する。
【００９０】
ＨＤＤ（Hard Disk Drive）５１１は、ハードディスクを内蔵し、ハードディスクを駆動し、ＣＰＵ５０１によって実行するプログラムや情報を記録または再生させる。ハードディスクは、画像、音声などの入力データ、時系列データテーブル、電子カルテなどを格納する。さらに、各種のデータ処理プログラム等、各種コンピュータ・プログラムが格納される。
【００９１】
ドライブ５１２は、装着されている磁気ディスク、光ディスク、光磁気ディスク、または半導体メモリ等のリムーバブル記録媒体５２１に記録されているデータまたはプログラムを読み出して、そのデータまたはプログラムを、インタフェース５０７、外部バス５０６、ブリッジ５０５、およびホストバス５０４を介して接続されているＲＡＭ５０３に供給する。リムーバブル記録媒体５２１も、ハードディスクと同様のデータ記録領域として利用可能である。
【００９２】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、外部とのデータ通信処理を実行する。
【００９３】
なお、図８に示す情報処理装置のハードウェア構成例は、１つの装置例を示すものであり、本発明の情報処理装置は、図８に示す構成に限らず、上述した実施例において説明した処理を実行可能な構成であればよい。
【００９４】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００９５】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００９６】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９７】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９９】
以上、説明したように、本発明の構成によれば、ユーザが記録する情報、例えばカルテなどに医師が記録する情報に対して、自動的に属性を設定することが可能となる。具体的には、記録情報、および、情報記録を実行するユーザの周囲において発生する事象情報をカメラやマイクで取得し、取得した記録情報と事象情報とを時系列データとして設定した時系列データテーブルを生成して、時系列事象を解析し、解析結果に基づいて、記録情報の属性を設定する。さらに、記録情報の内容や構成情報を勘案して属性設定を行う構成としたので、ユーザによる属性設定処理の負担や属性設定ミスを防止し、効率的なデータ処理、データ管理が実現される。
【図面の簡単な説明】
【０１００】
【図１】属性識別子を記録した原稿の例について説明する図である。
【図２】本発明の情報処理装置の適用例を説明する図である。
【図３】本発明の情報処理装置の構成および処理を説明するブロック図である。
【図４】本発明の情報処理装置の生成する時系列データテーブルの構成例について説明する図である。
【図５】本発明の情報処理装置において設定される属性および電子カルテの構成文の例を説明する図である。
【図６】本発明の情報処理装置の実行する処理シーケンスを説明するフローチャートを示す図である。
【図７】本発明の情報処理装置の実行する属性設定処理シーケンスを説明するフローチャートを示す図である。
【図８】本発明の情報処理装置のハードウェア構成例について説明する図である。
【符号の説明】
【０１０１】
１０  原稿
１１  属性識別子
１２  連結線
１５  情報領域データ
２１  交差点
５０  医者
６０  患者
７０  カルテ
１０１  カメラ
１０２  マイク
１０３  情報処理装置
１０４  ペン
１０５  検査機器
１１０  ネットワーク
２００  情報処理装置
２０１  画像情報入力部
２０２  画像情報解析部
２０３  音声情報入力部
２０４  音声情報解析部
２０５  ペン記録情報入力部
２０６  ペン記録情報解析部
２０７  検査機器情報入力部
２０８  検査機器情報解析部
２１１  総合情報解析部
２１２  情報格納部
２２１  属性設定部
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  キーボード
５０９  ポインティングデバイス
５１０  ディスプレイ
５１１  ＨＤＤ（Hard Disk Drive）
５１２  ドライブ
５１４  接続ポート
５１５  通信部
５２１  リムーバブル記録媒体
５２２  外部接続機器
【図１】
2007058625.tif 000003
【図２】
2007058625.tif 000004
【図３】
2007058625.tif 000005
【図４】
2007058625.tif 000006
【図５】
2007058625.tif 000007
【図６】
2007058625.tif 000008
【図７】
2007058625.tif 000009
【図８】
2007058625.tif 000010